(57)【特許請求の範囲】
【請求項１】
長手方向を有する棒状部と、
遊戯の指導に用いる画像を表示可能な表示部を一面側に備え、前記棒状部の長手方向の一端側に設けられた指示部と、
この表示部に表示される画像の色を変更可能な色変更手段と、
前記表示部の画像中に表示される記号を変更可能な記号変更手段と、
前記表示部に表示される画像が変化する時間の間隔を調整可能な間隔調整手段と、
前記指示部の他面側に突出して設けられ圧力を感知して表示部に表示される画像を変化させる圧力感知スイッチと
を具備したことを特徴とした遊戯の指導用に使用される指示装置。
【発明の詳細な説明】
【技術分野】
【０００１】
本発明は、指示部を有し、遊戯の指導用に使用される指示装置に関する。
【背景技術】
【０００２】
従来、この種の指示装置である指示棒としては、長手方向を有する棒状の柄部を備えている。この柄部の長手方向の一端側である先端側には、ＬＥＤなどの発光体が指示部として取り付けられ、この指示部の発光体を点灯、点滅または点滅速度を可変などして指示棒の動作を分かりやすくした構成が知られている（例えば、特許文献１ないし３参照。）。
【特許文献１】実開平５−３６４６８号公報
【特許文献２】特開２００２−２３６０９号公報
【特許文献３】特開２００２−２５１１３０号公報
【発明の開示】
【発明が解決しようとする課題】
【０００３】
しかしながら、上記指示装置では、指示部を点灯、点滅または点灯速度の可変などができるに過ぎないため、例えば囲碁などの遊戯の指導用として使用しにくく、使い勝手が良くないという問題を有している。
【０００４】
本発明は、このような点に鑑みなされたもので、使い勝手の良い指示装置を提供することを目的する。
【課題を解決するための手段】
【０００５】
請求項１記載の指示装置は、長手方向を有する棒状部と、遊戯の指導に用いる画像を表示可能な表示部を一面側に備え、前記棒状部の長手方向の一端側に設けられた指示部と、この表示部に表示される画像の色を変更可能な色変更手段と、前記表示部の画像中に表示される記号を変更可能な記号変更手段と、前記表示部に表示される画像が変化する時間の間隔を調整可能な間隔調整手段と、前記指示部の他面側に突出して設けられ圧力を感知して表示部に表示される画像を変化させる圧力感知スイッチとを具備したものである。
【発明の効果】
【０００６】
請求項１記載の指示装置によれば、指示部の表示部に遊戯の指導に用いる画像を表示でき、この表示部に表示される画像の色を色変更手段にて変更でき、前記表示部に表示される画像中の記号を記号変更手段にて変更でき、前記表示部に表示される画像が変化する時間の間隔を間隔調整手段にて調整でき、前記表示部の他面側を押し付けて圧力感知スイッチに圧力を加えることにより、この表示部の画像を変化できるため、遊戯の指導用として使い勝手良くできる。
【発明を実施するための最良の形態】
【０００７】
以下、本発明の指示装置の一実施の形態の構成を図１ないし図４を参照して説明する。
【０００８】
図１において、１は指示装置としての囲碁指導用ポインターである。この囲碁指導用ポインター１は、例えば囲碁を指導、すなわち指導碁の際に、碁石の代わりに使用する囲碁教習用の指示棒である。
【０００９】
そして、この囲碁指導用ポインター１は、細長円筒状の把持部としてのグリップ部２を備えている。このグリップ部２は、長手方向である軸方向を有する中空な細長棒状に形成されている。また、このグリップ部２は、長手方向の一端側である先端側から長手方向の他端側である基端側に向けて、徐々に拡径したテーパ状の周面部３を有している。この周面部３の内部には、電源としての図示しない乾電池が収容可能な電池収容部としての収容空間が設けられている。また、このグリップ部２の周面部３の基端側は、電池を出し入れするための電池取出口４が設けられている。そして、この電池取出口４には、円盤状のキャップ体５が取り外し可能に取り付けられている。
【００１０】
一方、グリップ部２の周面部３の長手方向の先端側には、伸縮可能なロッド部としての伸縮ロッド６が同軸状に取り付けられている。ここで、この伸縮ロッド６とグリップ部２とによって、細長棒状の棒状部としての支持部である柄部７が構成されている。
【００１１】
そして、この柄部７の伸縮ロッド６は、複数、例えば３本の細長円筒状であるパイプ体としての管体であるロッド体12，13，14が同軸状に重ねられて構成されている。そして、この伸縮ロッド６は、内側に位置している最も細いロッド体12を先端側に向けて引き出すことにより、このロッド体12に追従して、このロッド体12の外側に位置しているロッド体13およびロッド体14が順次引き出されて伸長する。また、この伸縮ロッド６は、最も細いロッド体12を基端側に向けて押し込むことにより、このロッド体12に追従して、ロッド体13およびロッド体14が順次押し込まれて縮退する。
【００１２】
さらに、この伸縮ロッド６の最も細いロッド体12の先端側には、ヒンジ体15を介して支持ロッド16が取り付けられている。この支持ロッド16は、円筒状の管体であって、この支持ロッド16の長手方向の基端側がヒンジ体15に取り付けられている。さらに、この支持ロッド16は、この支持ロッド16の取り付け角度が可変できるようにヒンジ体15によって回動可能に取り付けられている。すなわち、このヒンジ体15は、ロッド体12の軸方向に対して垂直な方向に向けて回動可能に取り付けられている。さらに、このヒンジ体15には、ロッド体12に対する支持ロッド16の回動角度が所定の間隔で維持できるように図示しないクリック機構が設けられている。
【００１３】
また、支持ロッド16の長手方向の先端側には、略円盤状の指示部としての先端部である碁石部21が取り付けられている。この碁石部21は、支持ロッド16の周方向に向けて回動可能に取り付けられている。また、この碁石部21は、囲碁指導用ポインター１を用いて指導する碁盤の目に対応した碁石の大きさ略等しいに略円盤状に形成されている。具体的に、この碁石部21は、一般的な指導碁の際に用いられる碁盤の目に対応した碁石の大きさ、例えば３ｃｍ以上３０ｃｍ以下の直径寸法に形成されている。さらに、この碁石部21は、この碁石部21の縁部としての外周縁部のうちの一部に支持ロッド16の先端部が接続されて取り付けられている。
【００１４】
そして、この碁石部21の一端側の面である一面側には、所定の画像を表示可能な表示部としての液晶表示部22が設けられている。この液晶表示部22は、碁石部21の一端面の略全域を覆う平面視円形状に形成されている。また、この液晶表示部22は、平面視で中央部が最も突出した断面円弧状である凸レンズ状に形成されている。すなわち、この液晶表示部22は、碁石の断面形状に略等しい断面円弧状に突出した形状に形成されている。さらに、この液晶表示部22は、碁石部21の一端側に埋め込まれた状態で取り付けられており、この碁石部21の一端側に所定の画像を表示させる。
【００１５】
ここで、この碁石部21は、中空な円盤状の枠体23を備えている。そして、この枠体23の内部に液晶表示部22が取り付けられている。この液晶表示部22は、枠体23内に取り付けられた平面視円形平板状の図示しないバックライトを備えている。そして、枠体23内のバックライトの一端側である前面側に平面視円形平板状の図示しない液晶表示パネルが対向して取り付けられている。さらに、この液晶表示パネルのバックライトが位置する側の反対側である前面側には、断面円弧状に突出した透明なカバー体24が対向して取り付けられて液晶表示部22が構成されている。
【００１６】
そして、この液晶表示部22には、図３及び図４に示すように、例えば碁石の色に相当する白色および黒色のいずれかの画像中に、囲碁の指導に必要な例えば「Ａ」、「Ｂ」および「Ｃ」などの文字や、「１」、「２」および「３」などの数字、「○」、「◎」、「×」および「？」などの符号である記号が表示される。すなわち、この液晶表示部22は、背景として白色または黒色の表示ができ、これら白色または黒色の背景の中に、所定の記号が表示できるように構成されている。
【００１７】
さらに、碁石部21の液晶表示部22が設けられている側の反対側である他面側には、圧力感知スイッチ25が取り付けられている。この圧力感知スイッチ25は、碁石部21の液晶表示部22の画像を変更する画像変更手段であって、圧力の感知によってオンする圧力感知式のスイッチである。さらに、この圧力感知スイッチ25は、碁石部21より小さな平面視円形状に形成されており、この碁石部21の他端面の中心部に同心状に取り付けられている。また、この圧力感知スイッチ25は、碁石部21の他端側の面である他端面より外側に突出した断面凸弧状に形成されている。
【００１８】
具体的に、この圧力感知スイッチ25は、例えば碁盤等の所定の面に碁石部21の他端面を接地させて、この圧力感知スイッチ25を押し付けて所定の圧力を加えることによってオンする。さらに、この圧力感知スイッチ25は、この圧力感知スイッチ25をオンさせることにより、碁石部21の液晶表示部22に表示されている画像、例えば白色および黒色いずれか一方の画像を所定の画像、すなわち白色および黒色いずれか他方の画像に変更する。
【００１９】
一方、囲碁指導用ポインター１のグリップ部２には、電源スイッチ31が設けられている。この電源スイッチ31は、囲碁指導用ポインター１の碁石部21の液晶表示部22に表示される画像をオンオフさせるスイッチボタンである。また、この電源スイッチ31は、グリップ部２の周面部３のうちの長手方向の中間部に設けられている。さらに、この電源スイッチ31は、グリップ部２の周面部３より外側に突出した断面円弧状であって、平面視円形状に形成されている。
【００２０】
また、グリップ部２の周面部３には、碁石部21の液晶表示部22の画像を変更する画像変更手段である白黒表示変更スイッチ32が設けられている。この白黒表示変更スイッチ32は、碁石部21の液晶表示部22の画像の色を、例えば白色または黒色に変更可能な色変更手段である。そして、この白黒表示変更スイッチ32は、グリップ部２の周面部３のうちの長手方向の中間部に設けられている。さらに、この白黒表示変更スイッチ32は、電源スイッチ31が設けられている位置から周方向に向けて約９０°ずれた位置に設けられている。また、この白黒表示変更スイッチ32は、グリップ部２の長手方向に沿った長手方向を有する平面視細長矩形状に形成されている。
【００２１】
そして、この白黒表示変更スイッチ32は、この白黒表示変更スイッチ32の先端側を押すことによって、碁石部21の液晶表示部22に白色および黒色のいずれか一方を表示させる。また、この白黒表示変更スイッチ32は、この白黒表示変更スイッチ32の基端側を押すことによって、碁石部21の液晶表示部22に白色および黒色のいずれか他方を表示させる。
【００２２】
さらに、グリップ部２の周面部３の白黒表示変更スイッチ32より先端側には、碁石部21の液晶表示部22の画像を変更する画像変更手段としての設定時間用の第１の回転リング33が取り付けられている。この第１の回転リング33は、碁石部21の液晶表示部22の画像が白色から黒色、または黒色から白色へ交互に変化する間隔である変化間隔を調整可能な間隔調整手段としての時間切り替え用スイッチである。さらに、この第１の回転リング33は、略円環状に形成されており、グリップ部２の周面部３の外側に同軸状に回転可能に取り付けられている。
【００２３】
また、このグリップ部２の周面部３のうちの第１の回転リング33が取り付けられている位置に隣接した基端側には、第１のセット印34が設けられている。この第１のセット印34は、第１の回転リング33を回転して画像の変化間隔を調整する際のセット位置を示す目印である。さらに、この第１のセット印34は、平面視二等辺三角形状に形成されており、この第１のセット印34のうちの頂角の部分を第１の回転リング33が取り付けられている側に向けた状態でグリップ部２の周面部３に設けられている。また、この第１のセット印34は、白黒表示変更スイッチ32の先端側に対向し、かつグリップ部２の軸方向に沿った位置に設けられている。
【００２４】
さらに、第１の回転リング33の外側に位置する外周面35には、複数の間隔記号36が周方向に向けて等間隔に並べられて表示されている。これら複数の間隔記号36は、碁石部21の液晶表示部22に表示される画像の白色および黒色の変化間隔を示す目盛である。具体的に、これら間隔記号36は、例えば「0.1」、「0.2」、……、「0.9」、「1.0」および「∞」等の記号が外周面35の周方向に向けて等間隔に並べられて構成されている。ここで、これら間隔記号36のうちの「0.1」、「0.2」、……、「0.9」および「1.0」は、第１の回転リング33を回転して第１のセット印34に対向する位置にセットすることにより、これら間隔記号36の数値に応じて碁石部21の液晶表示部22の画像が白色または黒色に交互に変化する変化間隔を、例えば0.1秒、0.2秒、……、0.9秒および1.0秒に調整するための目盛である。また、これら間隔記号36のうちの「∞」は、第１の回転リング33を回転してセットすることにより、碁石部21の液晶表示部22の画像が変化する間隔を無設定の状態、すなわち液晶表示部22に表示される白色または黒色の画像を連続して表示する状態に調整するための目盛である。さらに、この第１の回転リング33の外周面34には、この外周面34に示されている各間隔記号36に対応した位置のそれぞれに第１の調整印37が設けられている。これら第１の調整印37は、外周面34のうちの各間隔記号36の基端側にそれぞれ設けられている。
【００２５】
そして、第１の回転リング33は、この第１の回転リング33を周方向に向けて回転して、この第１の回転リング33の外周面35に示されている間隔記号36のいずれか一つの基端側に位置している第１の調整印37を、グリップ部２の第１のセット印34に対向する位置にセットすることにより、このセットした間隔記号36に応じて、碁石部21の液晶表示部22の画像の白色または黒色の変化間隔を変化させる。
【００２６】
さらに、グリップ部２の周面部３の先端側には、碁石部21の液晶表示部22の画像を変更する画像変更手段としての記号表示用の第２の回転リング41が取り付けられている。この第２の回転リング41は、碁石部21の液晶表示部22の画像中に表示する記号を変更可能な記号変更手段である。そして、この第２の回転リング41は、第１の回転リング33と同様に、略円環状に形成されており、グリップ部２の周面部３の外側に同軸状に取り付けられている。また、この第２の回転リング41は、グリップ部２の周面部３のうちの第１の回転リング33の取り付け位置よりも先端側に取り付けられている。さらに、この第２の回転リング41は、グリップ部２の周面部３に対して周方向に回転可能に取り付けられている。
【００２７】
そして、このグリップ部２の周面部３のうちの第２の回転リング41が取り付けられている位置に隣接した基端側には、第２のセット印42が設けられている。この第２のセット印42は、第２の回転リング41を回転して表示間隔を調整する際のセット位置を示す目印である。さらに、この第２のセット印42は、平面視二等辺三角形状に形成されており、この第２のセット印42のうちの頂角の部分を第２の回転リング41が取り付けられている側に向けた状態でグリップ部２の周面部３に設けられている。また、この第２のセット印42は、第１の回転リング33が取り付けられている位置よりも先端側に設けられている。さらに、この第２のセット印42は、グリップ部２の軸方向に沿って第１のセット印34に対向する位置に設けられている。
【００２８】
さらに、第２の回転リング41の外側に位置する外周面43には、複数の表示記号44が周方向に向けて等間隔に並べられて表示されている。これら複数の表示記号44は、碁石部21の液晶表示部22の画像中に表示する文字、数字などの記号を示す目盛である。具体的に、これら表示記号44は、例えば「０」、「１」、……、「８」、「９」、「Ａ」、「Ｂ」、……、「○」、「◎」、「×」、「？」または「なし」等の記号が外周面43の周方向に向けて等間隔に並べられて構成されている。ここで、これら表示記号44のうちの「０」、「１」、……、「８」、「９」、「Ａ」、「Ｂ」……、「○」、「◎」、「×」および「？」等は、この第２の回転リング41を回転して第２のセット印42に対向する位置にセットすることにより、図１及び図２に示すように、これら表示記号44に示されている記号を碁石部21の液晶表示部22の画像中に表示するための目盛である。また、これら表示記号44のうちの「なし」は、第２の回転リング41を回転してセットすることにより、碁石部21の液晶表示部22の画像中の文字の表示を無表示、すなわち液晶表示部22の画像の表示を白色および黒色のいずれかに調整するための目盛である。
【００２９】
そして、第２の回転リング41は、この第２の回転リング41を周方向に向けて回転して、この第２の回転リング41の外周面43に示されている表示記号44のいずれか一つを、グリップ部２の第２のセット印42に対向する位置にセットすることにより、このセットした表示記号44に示されている記号を、碁石部21の液晶表示部22の画像中に表示する。
【００３０】
次に、上記一実施の形態の指示装置の使用方法について説明する。
【００３１】
まず、囲碁指導用ポインター１を用いて囲碁を指導する場合には、この囲碁指導用ポインター１の柄部７のグリップ部２に設けられている電源スイッチ31を押してオンさせて、この囲碁指導用ポインター１の碁石部21の液晶表示部22に白色または黒色の一方の画像を表示させる。
【００３２】
このとき、この碁石部21の液晶表示部22に表示されている画像の色を黒色または白色の他方に変更したい場合には、この囲碁指導用ポインター１の白黒表示変更スイッチ32の先端側または基端側を押して、この液晶表示部22に表示されている画像の色を変更する。
【００３３】
また、この液晶表示部22に表示されている画像が白色から黒色、または黒色から白色へ変化する間隔を調整したい場合には、囲碁指導用ポインター１のグリップ部２に設けられている第１の回転リング33を回転して、この第１の回転リング33の外周面35の間隔記号36のうちの所望する間隔記号36の第１の調整印37を、グリップ部２の第１のセット印34に近接した位置にセットする。
【００３４】
具体的には、この第１の回転リング33の外周面35の間隔記号36のうちの所望する変化間隔を示す「0.1」、「0.2」、……、「0.9」および「1.0」のいずれかの間隔記号36の第１の調整印37を、グリップ部２の第１のセット印34に近接した位置にセットする。
【００３５】
このとき、この液晶表示部22に表示されている白色または黒色の画像を連続して表示したい場合には、第１の回転リング33を回転して、この第１の回転リング33の間隔記号36のうちの「∞」の第１の調整印37を、グリップ部２の第１のセット印34に近接した位置にセットする。
【００３６】
さらに、この液晶表示部22に表示されている画像中に所定の記号を表示したい場合には、囲碁指導用ポインター１のグリップ部２に設けられている第２の回転リング41を回転して、この第２の回転リング41の外周面43の表示記号44のうちの所望する表示記号44を、グリップ部２の第２のセット印42に近接した位置にセットする。
【００３７】
具体的には、この第２の回転リング41の外周面43の表示記号44のうちの所望する記号を示す「０」、「１」、……、「８」、「９」、「Ａ」、「Ｂ」……、「○」、「◎」、「×」および「？」等のいずれかの表示記号44を、グリップ部２の第２のセット印42に近接した位置にセットする。
【００３８】
このとき、この液晶表示部22に表示されている画像中に所定の記号を表示せずに黒色または白色の画像のみの表示としたい場合には、第２の回転リング41を回転して、この第２の回転リング41の表示記号44のうちの「なし」の表示記号44を、グリップ部２の第２のセット印42に近接した位置にセットする。
【００３９】
次いで、囲碁指導用ポインター１のグリップ部２から碁石部21までの長さを調整したい場合には、この囲碁指導用ポインター１の伸縮ロッド６を適宜引き伸ばしたり押し縮めたりして、この伸縮ロッド６の長さを伸縮させる。
【００４０】
また、この囲碁指導用ポインター１のグリップ部２の軸方向に対する碁石部21の液晶表示部22の水平方向の角度を調整したい場合には、この囲碁指導用ポインター１のヒンジ体15を適宜回動させて、このグリップ部２に対する碁石部21の取り付け角度を可変する。
【００４１】
このとき、この囲碁指導用ポインター１のヒンジ体15にクリック機構が設けられていることにより、グリップ部２に対する碁石部21の調整した回動角度が維持される。
【００４２】
そして、この囲碁指導用ポインター１の碁石部21の液晶表示部22に表示されている白色または黒色の画像を、白色または黒色の碁石に見立てて囲碁の指導をする。
【００４３】
さらに、この囲碁指導用ポインター１の碁石部21の液晶表示部22に表示されている白色または黒色の画像を変更したい場合には、この囲碁指導用ポインター１の碁石部21の他端面に設けられている圧力感知スイッチ25を、例えば碁盤に接地させて押し付けるなどして圧力を加えてオンさせ、この碁石部21の液晶表示部22の画像の表示を黒色または白色に変更する。
【００４４】
上述したように、上記一実施の形態によれば、囲碁指導用ポインター１の碁石部21を指導碁用の碁石の大きさに略等しい略円盤状に形成し、この碁石部21に液晶表示部22を設け、この囲碁指導用ポインター１の電源スイッチ31を押すことによって碁石部21の液晶表示部22に白色または黒色が表示される構成とした。この結果、この碁石部21の液晶表示部22に表示されている画像の色に合わせて、この碁石部21を囲碁の白色または黒色の碁石に見立てて囲碁の指導ができるから、囲碁の指導に適した使用ができる。
【００４５】
具体的には、先端部が碁石状ではない通常のポインターではなく、先端部の碁石部21を碁石に見立てることができる囲碁指導用ポインター１を用いて囲碁の指導、すなわち指導碁をすることにより、指導碁の生徒に対して碁石の着手点を明確かつ容易に理解させることができる。
【００４６】
また、この囲碁指導用ポインター１の白黒表示変更スイッチ32の先端側または基端側を押すことによって、この囲碁指導用ポインター１の碁石部21の液晶表示部22に表示されている画像の色を白色または黒色に変更できる。したがって、この囲碁指導用ポインター１の碁石部21を見立てたい碁石の色に合わせて、この碁石部21の液晶表示部22に表示されている画像の色を適宜変更できるから、この囲碁指導用ポインター１を囲碁の指導により適した使用ができる。
【００４７】
さらに、この囲碁指導用ポインター１の第１の回転リング33を回転して調整することにより、この囲碁指導用ポインター１の碁石部21の液晶表示部22に表示されている白色または黒色の画像の変化間隔を、例えば0.1秒、0.2秒、……、0.9秒、1.0秒または無設定の状態に調整できる。よって、この碁石部21の液晶表示部22に表示されている色を必要に応じて手動で適宜変化させることなく、調整した間隔で液晶表示部22の画像を白色または黒色に交互に自動的に変更できるから、例えば囲碁などの指導用としてより的確かつ効率良く使用できる。
【００４８】
また、この囲碁指導用ポインター１の第２の回転リング41を回転して調整することにより、この囲碁指導用ポインター１の碁石部21の液晶表示部22に表示されている画像中に、囲碁の指導に必要な記号、例えば「０」、「１」、……、「８」、「９」、「Ａ」、「Ｂ」……、「○」、「◎」、「×」および「？」等の所定の記号を表示できる。したがって、この碁石部21の液晶表示部22に白色または黒色の画像を表示させつつ、この画像中に必要に応じて囲碁の指導に必要な所定の記号を表示できるから、この碁石部21の液晶表示部22を碁石に見立てつつ必要な記号を表示させながら囲碁の次の手の指導などができるため、例えば囲碁などの指導用としてより的確に使用できる。
【００４９】
さらに、この囲碁指導用ポインター１の伸縮ロッド６を適宜引き伸ばしたり押し縮めたりして、この伸縮ロッド６の長さを伸縮させることにより、この囲碁指導用ポインター１のグリップ部２から碁石部21までの長さを調整できる。また、この囲碁指導用ポインター１のヒンジ体15を適宜回動して、この囲碁指導用ポインター１のグリップ部２に対する碁石部21の取り付け角度を可変することにより、この囲碁指導用ポインター１のグリップ部２の軸方向に対する碁石部21の液晶表示部22の水平方向の角度を調整できる。そして、この囲碁指導用ポインター１のヒンジ体15にクリック機構を設けたことにより、グリップ部２に対する碁石部21の調整した回動角度を維持できる。
【００５０】
よって、この囲碁指導用ポインター１の長さや、この囲碁指導用ポインター１の碁石部21の角度を必要に応じて適宜調整できるとともに、この碁石部21の調整した角度をヒンジ体15のクリック機構にて維持できるから、この囲碁指導用ポインター１をより使い勝手良くできる。
【００５１】
さらに、この囲碁指導用ポインター１の碁石部21の他端面に設けた圧力感知スイッチ25を、例えば碁盤に押し付けるなどして圧力を加えてオンさせることにより、この碁石部21の液晶表示部22の画像の表示を黒色または白色に変更できる。したがって、この囲碁指導用ポインター１の碁石部21を碁石に見立てて指導しているときなどに、この碁石部21の圧力感知スイッチ25を碁盤に接地させて押し付けるだけで、この碁石部21の液晶表示部22に表示されている画像の色を変更できるから、この囲碁指導用ポインター１を囲碁の指導用としてより使い勝手良くできる。
【００５２】
なお、上記一実施の形態では、囲碁指導用ポインター１の碁石部12を指導碁用の比較的大きな碁石に見立てた構成としたが、この囲碁指導用ポインター１の碁石部21の大きさを適宜変更することにより、実際の碁盤を用いた囲碁指導用であっても対応させて用いることができる。すなわち、この碁石部21の大きさを例えば１ｃｍ程度の直径寸法にすることによって、実際の碁盤を用いた囲碁指導用として用いることができる。
【００５３】
さらに、囲碁指導用ポインター１の碁石部12を碁石に見立てた構成としたが、この碁石部21を、例えば将棋の駒の形状とし、液晶表示部22に将棋の駒に示されている種々の文字を表示させる構成とすることによって、将棋指導用ポインターにできる。
【００５４】
すなわち、この囲碁指導用ポインター１の先端部の碁石部21を、指導したい将棋、チェス、オセロ（登録商標）・ゲーム、囲碁、花札、トランプ、麻雀またはその他の遊戯に用いる駒、石、札または牌に見立てた形状とし、液晶表示部22に種々の文字を表示させることにより、様々な遊戯の指導用のポインターにできる。
【図面の簡単な説明】
【００５５】
【図１】本発明の指示装置の一実施の形態を示す正面図である。
【図２】同上指示装置の一部を示す平面図である。
【図３】同上指示装置の表示部に表示される画像を示す説明平面図である。
【図４】同上指示装置の表示部に表示される他の画像を示す説明平面図である。
【符号の説明】
【００５６】
１    指示装置としての囲碁指導用ポインター
７    棒状部としての柄部
21    指示部としての碁石部
22    表示部としての液晶表示部
32    色変更手段である白黒表示変更スイッチ
33    間隔調整手段である第１の回転リング
41    記号変更手段である第２の回転リング
【要約】
【課題】使い勝手の良い囲碁指導用ポインターを提供する。
【解決手段】先端部の碁石部21を碁石の大きさに形成する。碁石部21に液晶表示部22を設けて白色または黒色を表示する。液晶表示部22の画像を碁石に見立てて囲碁の指導ができる。白黒表示変更スイッチ32で碁石部21の液晶表示部22の画像を白色または黒色に変更できる。第１の回転リング33で碁石部21の液晶表示部22の画像が白色または黒色に変わる間隔を調整できる。第２の回転リング41で碁石部21の液晶表示部22の画像中に囲碁の指導に必要な記号を表示できる。碁石部21の圧力感知スイッチ25を押し付けることで液晶表示部22の画像を黒色または白色に変更できる。
【選択図】図１【図１】
0004204628.tif 000002
【図２】
0004204628.tif 000003
【図３】
0004204628.tif 000004
【図４】
0004204628.tif 000005